(57)【要約】【課題】所定材料内への分散率を高め、用途を拡大することの可能なイオン発生体および生地およびインクを提供する。【解決手段】本発明のイオン発生体は、ナノメートル（ｎｍ）のオーダーの大きさの粉体に加工されていることにより、これを所定の材料（例えば、後述のように、生地やインクなど）内に混入する場合に、所定材料内への分散率が高まり、用途の拡大化を図ることができる。また、粉体使用量を少なくできることから、コストを下げることができる。【選択図】　　　なし【特許請求の範囲】
【請求項１】
マイナスイオンを発生するイオン発生体であって、該イオン発生体は、ナノメートルのオーダーの大きさの粉体に加工されていることを特徴とするイオン発生体。
【請求項２】
請求項１記載のイオン発生体が混入されていることを特徴とする生地。
【請求項３】
請求項１記載のイオン発生体が混入されていることを特徴とするインク。
【発明の詳細な説明】
【０００１】
【発明の属する技術分野】
本発明は、マイナスイオンを発生するイオン発生体および生地およびインクに関する。
【０００２】
【従来の技術】
従来、マイナスイオンを発生するイオン発生体が知られている。
【０００３】
【発明が解決しようとする課題】
しかしながら、在来のイオン発生体は、粉体としての大きさが、小さいものでもミクロン（μｍ）のオーダー（例えば、３〜５ミクロン）のものであるため、所定材料（例えば生地やインクなど）内への分散率を高めるには限界があり、マイナスイオン粉体としての用途が限られていた。
【０００４】
本発明は、所定材料内への分散率を高め、用途を拡大することの可能なイオン発生体および生地およびインクを提供することを目的としている。
【０００５】
【課題を解決するための手段】
上記目的を達成するために、請求項１記載の発明は、マイナスイオンを発生するイオン発生体であって、該イオン発生体は、ナノメートルのオーダーの大きさの粉体に加工されていることを特徴としている。
【０００６】
また、請求項２記載の発明は、請求項１記載のイオン発生体が混入されていることを特徴とする生地である。
【０００７】
また、請求項３記載の発明は、請求項１記載のイオン発生体が混入されていることを特徴とするインクである。
【０００８】
【発明の実施の形態】
以下、本発明の実施形態を説明する。
【０００９】
本発明は、マイナスイオンを発生するイオン発生体であって、該イオン発生体は、ナノメートルのオーダーの大きさの粉体に加工されていることを特徴としている。
【００１０】
ここで、本発明のイオン発生体の加工された粉体としての大きさであるナノメートル（ｎｍ）のオーダーとは、具体的には、例えば、１ｎｍ以上１μｍ未満のものである。
【００１１】
このように、本発明のイオン発生体は、ナノメートル（ｎｍ）のオーダーの大きさの粉体に加工されていることにより、これを所定の材料（例えば、後述のように、生地やインクなど）内に混入する場合に、所定材料内への分散率が高まり、用途の拡大化を図ることができる。また、粉体使用量を少なくできることから、コストを下げることができる。
【００１２】
具体的に、本発明のイオン発生体の用途としては、シャツやパンツなどの衣類等の生地にマイナスイオン効果をもたせ、生地に抗菌作用や、人体の血行，代謝の改善作用などを付加するために、本発明のイオン発生体を生地に混入することが挙げられる。
【００１３】
この場合、本願の先願である特願２００１−２４８０５１には、製造コストを低減し、かつ、生地の種類を問わずに任意の種類の生地にマイナスイオン効果をもたせることの可能な生地およびその製造方法が記載されている。
【００１４】
すなわち、本願の先願である特願２００１−２４８０５１には、生地の第１の製造方法として、マイナスイオン放出薬剤を０．１％〜５０％，アクリル系のバインダーを０．１％〜５０％，シリコン系柔軟剤を０．５％〜３０％の比率で有する混合液に生地を浸漬し、しかる後、該生地を絞り乾燥させることが記載されている。
【００１５】
また、生地の第２の製造方法として、マイナスイオン放出薬剤を０．１％から５０％の割合で有する水溶液に生地を浸漬し、しかる後、該生地を絞り乾燥させ、しかる後、アクリル系バインダーを０．１％〜５０％，シリコン系柔軟剤を０．５％〜３０％の比率で有する混合液に生地を再度浸漬し、しかる後、該生地を絞り乾燥させることが記載されている。
【００１６】
なお、上記第１または第２の製造方法において、前記生地を絞るときの絞り条件は、使用する生地重量に対して５０％〜１５０％の重量の混合液が残るように生地を挟む圧力を調節する。
【００１７】
また、第１または第２の製造方法において、前記生地を乾燥するときの条件は、５０℃〜１５０℃の温度で０．５分〜１０分程度の条件で乾燥させる。
【００１８】
このように、マイナスイオン効果をもった生地の在来の製造方法では、バインダーを必要としていた。
【００１９】
これに対し、本発明のイオン発生体は、ナノメートル（ｎｍ）のオーダーの大きさの粉体に加工されているので、本発明のイオン発生体を生地に混入して第１または第２の製造方法のようにマイナスイオン効果をもった生地を製造するときに、在来必要であったバインダーが不要となる。すなわち、バンイダーを用いずとも、マイナスイオン効果をもった生地を製造する（生地をマイナスイオン粉体で染める）ことができる。
【００２０】
また、本発明のイオン発生体の他の用途しては、インク（印刷時などに用いられるインク）にマイナスイオン効果をもたせるために、本発明のイオン発生体をインク中に混入することが挙げられる。
【００２１】
すなわち、在来のイオン発生体（マイナスイオン粉体）は、前述のように、粉体としての大きさが小さなものでもミクロンのオーダーであり、ミクロンのオーダーの大きさのイオン発生体（マイナスイオン粉体）をインク中に混入させようとしても、粉体としての大きさが十分に小さなものではないので、インク中に混入させにくかった。
【００２２】
これに対し、本発明のイオン発生体（マイナスイオン粉体）は、ナノメートル（ｎｍ）のオーダーの大きさの粉体に加工されているので、インク中に十分良好に混入させることができる。
【００２３】
また、本発明のイオン発生体（粉体）を合成樹脂に含ませることもできる。この場合、本発明のイオン発生体を含んだ合成樹脂は、マイナスイオンを発生する繊維やマスターパッチや不織布などとして製品化できる。このような繊維やマスターパッチや不織布は、例えば、衣類，フィルタ，内装材，寝装具，繊維，成形加工品，事務器，衛材，自動車，住宅関連製品，空調設備などの分野に応用できる。
【００２４】
また、本発明のイオン発生体（粉体）を無機系（セラミック）あるいは有機系の塗料に含ませることもできる。この場合、本発明のイオン発生体を含んだ塗料は、マイナスイオンを発生する建設資材，クリーンルーム，空気浄化用品などとして製品化できる。このような建設資材，クリーンルーム，空気浄化用品は、例えば、住宅関連用品，事務器，衛生陶器，繊維，建築関連用品，各種完成品，空調関連用品などの分野に応用できる。
【００２５】
また、本発明のイオン発生体（粉体）をボールやプレートなどに含ませることもできる。この場合、本発明のイオン発生体を含んだボールやプレートなどは、マイナスイオンを発生する排ガス処理用品，空気浄化用品，衛材，水処理用品などとして製品化できる。具体的には、脱臭用品，水処理用品，寝装類，空調用品，繊維などに適用できる。
【００２６】
また、本発明のイオン発生体（粉体）を紙に含ませることもできる。この場合、本発明のイオン発生体を含んだ紙は、マイナスイオンを発生する建設資材（例えば内装材）などとして製品化できる。
【００２７】
また、図１は本発明のイオン発生体を用いた第１の具体例を示す図である。図１を参照すると、第１の具体例では、マイナスイオンを発生する本発明のイオン発生体１に、酸化チタン粉体２が付加されたものとなっている。
【００２８】
また、図２は本発明のイオン発生体を用いた第２の具体例を示す図である。図２を参照すると、この第２の具体例では、マイナスイオンを発生する本発明のイオン発生体１に、酸化チタン液材３が付加されたものとなっている。
【００２９】
ここで、上記第１または第２の具体例において、マイナスイオンを発生する本発明のイオン発生体１と酸化チタン粉体２または酸化チタン液材３とは、重量比で１：９９乃至９９：１の割合で混ぜ合わせられている。
【００３０】
第１または第２の具体例では、マイナスイオンを発生する本発明のイオン発生体１に、酸化チタン粉体２または酸化チタン液材３が付加されていることにより、マイナスイオンを発生するという効果に加えて、さらに、窒素酸化物（ＮＯｘ）を分解するという効果、および、消臭力を高めるという効果、および、抗菌性をもたせるという効果をさらにもたせることができる。
【００３１】
また、マイナスイオンを発生する本発明のイオン発生体１と酸化チタン粉体２または酸化チタン液材３とが、重量比で１：９９乃至９９：１の割合で混ぜ合わせられていることにより、光がほとんどもしくは全くなくても、光触媒効果を発揮させることができる。すなわち、本来のマイナスイオン効果に加えて、光触媒のもっている効果を出すことができる。
【００３２】
なお、マイナスイオンを発生する本発明のイオン発生体１は、例えば、希土類元素を含む材料と自発分極している極性材料とを混合することによって、作成されることができる。
【００３３】
より具体的に、マイナスイオンを発生する本発明のイオン発生体１は、希土類元素を含む材料を焼成したものと自発分極している極性材料とを混合することによって、作成されることができる。
【００３４】
さらに、より具体的には、マイナスイオンを発生するイオン発生体１は、例えば、希土類元素を含む材料を例えば１０００℃乃至１８００℃程度の温度で焼成したものを微粉砕したものと自発分極している極性材料を微粉砕したものとを混合することによって作成される。
【００３５】
ここで、希土類元素を含む材料（さらには、これを焼成，微粉砕したもの）と自発分極している極性材料との混合比率は、希土類元素を含む材料に、自発分極している極性材料を５乃至５０重量％程度に混合したものとなっている。
【００３６】
また、希土類元素を含む材料としては、例えば混合希土を用いることができる。例えば、バネトネザイト，ゼノタイム，モナズ石，モナズ石混合体などの天然鉱石等、あるいはこれらを混合したものを用いることができる。
【００３７】
また、自発分極している極性材料には、貴石類または半貴石類、さらには、ざくろ石，オルトケイ酸塩などが用いられる。
【００３８】
より具体的に、自発分極している極性材料には、貴石類または半貴石類として、ガーネットが用いられるのが望ましい。
【００３９】
このようにして作成されるイオン発生体は、ナノメートル（ｎｍ）のオーダーの大きさの粉体の形態で、これを提供することができる。
【００４０】
このように作成されるマイナスイオンを発生する本発明のイオン発生体は、自発分極している極性材料の電気特性，すなわち極性材料から発生しているマイナスイオンを、希土類元素を含む材料（これが一種の刺激材として機能する）によって自然な形で引き出し、マイナスイオンを長期間持続させる（耐久性に富む）効果を有している。すなわち、上述したマイナスイオンを発生する本発明のイオン発生体は、電気等のエネルギー源を要することなく、常温でそのまま放置しておくだけでも、十分なマイナスイオンが長期間発生し続ける（マイナスイオンの発生作用が長時間にわたって持続する耐久性に富んだものである）。
【００４１】
そして、上述したマイナスイオンを発生する本発明のイオン発生体は、原料として、希土類元素を含む材料（天然鉱石等）と自発分極している極性材料（ガーネット等の貴石類，半貴石類など）との自然界に存在する容易に入手可能な材料だけを用いて、天然の無機質材として作成することができる。
【００４２】
また、上述したマイナスイオンを発生する本発明のイオン発生体を作成する際、何ら特別な設備等を用いる必要がなく、マイナスイオンを発生するイオン発生体を低コストに提供することができる。
【００４３】
上述したマイナスイオンを発生する本発明のイオン発生体は、十分なマイナスイオンを長時間発生し続けることから、次のような効用がある。
【００４４】
すなわち、上述したマイナスイオンを発生する本発明のイオン発生体は、抗菌作用があり、また、有害な成分や臭分子が分解することができる。また、人体表面近辺のマイナスイオンを増加させて生性を活性化して血行や代謝を改善しストレスをやわらげることができる。また、静電気をマイナスイオンにより少なくし、ゴミ，ホコリ等を寄せにくくすることができる。
【００４５】
【発明の効果】
以上に説明したように、請求項１記載の発明によれば、マイナスイオンを発生するイオン発生体であって、該イオン発生体は、ナノメートルのオーダーの大きさの粉体に加工されているので、所定材料内への分散率を高め、用途を拡大することができる。
【００４６】
また、請求項２記載の発明によれば、請求項１記載のイオン発生体が混入されていることを特徴とする生地であるので、バインダーを用いることなく、マイナスイオン効果をもつ生地を製造することができる。
【００４７】
また、請求項３記載の発明によれば、請求項１記載のイオン発生体が混入されていることを特徴とするインクであるので、マイナスイオンを発生するイオン発生体をインク中に十分に良好に混入させることができる。
【図面の簡単な説明】
【図１】本発明のイオン発生体の一例を示す図である。
【図２】本発明のイオン発生体の他の例を示す図である。
【符号の説明】
１　　　　マイナスイオンを発生するイオン発生体
２　　　　酸化チタン粉体
３　　　　酸化チタン液材
【図１】
2004076226.tif 000002
【図２】
2004076226.tif 000003